(57)【特許請求の範囲】
【請求項１】
スピーカであって、
一端がボイスコイルの線輪の一端に接続され、他端がフレームに設けられたスピーカターミナルに接続されたフレキシブルワイヤーと、
前記ボイスコイルと前記スピーカターミナル間に、前記フレームに設けられた中継部と、
前記中継部が、
フレキシブルワイヤーを保持する挟持部と、
この挟持部のボイスコイル側に前記フレキシブルワイヤーを沿わせる壁部と、
を設けたスピーカ。
【請求項２】
請求項１記載のスピーカにおいて、
前記中継部の挟持部の、フレキシブルワイヤーの挿入口の、対向する面の少なくとも一方の面に傾斜部を設け、
前記挿入口の傾斜部の奥の対向する面の、少なくとも一方の面に、対向する面側に突出する突起を設けた、
スピーカ。
【請求項３】
請求項１記載のスピーカにおいて、前記中継部の挿入口の下面側を延長して平坦部を形成したスピーカ。
【請求項４】
請求項１記載のスピーカにおいて、前記中継部の壁部に、一対のフレキシブルワイヤーを沿わせる方向に、一対の溝部を設けたスピーカ。
【請求項５】
請求項１記載のスピーカにおいて、前記中継部の壁部の一対のフレキシブルワイヤーを沿わせる方向に前記一対のフレキシブルワイヤーの接触を妨げる突部を設けたスピーカ。
【請求項６】
請求項１記載のスピーカにおいて、前記中継部の挟持部の下方に貫通孔を設けたスピーカ。
【請求項７】
請求項１記載のスピーカにおいて、
前記スピーカターミナルは、
開口を有する筐体部と、
前記筐体部に組込まれた端子板と、
からなり、前記端子板は、
前記筐体部の内方に一端が突出し外部音源からの電気信号導入用端子部と、
他端側が筐体部外方の先端部近傍に設けられた一部を切り欠いてなる切起部と
、
前記切起部から前記筐体部に向かう方向に設けられた起立壁部と、
からなる。
【請求項８】
請求項７記載のスピーカであって、スピーカターミナルの端子板の起立壁部と切起部間に切り込みを設けたスピーカ。
【請求項９】
請求項１記載のスピーカにおいて、
前記スピーカターミナルは、
開口を有する筐体部と、
前記筐体部に組込まれた一対の端子板と、
からなり、前記端子板は、
前記筐体部の内方に一端が突出し外部音源からの電気信号導入用端子部と、
他端側が筐体部外方の他端の先端部近傍に設けられた一部を切り欠いてなる切起部と、
前記切起部と前記筐体部との間に、他方の端子板側に設けられた壁部と、
からなる。
【請求項１０】
請求項９記載のスピーカであって、スピーカターミナルの端子板の切起部と筐体間に切り込みを設けたスピーカ。
【発明の詳細な説明】
【０００１】
【発明の属する技術分野】
本発明は、テレビジョン受像機、ステレオ装置、音声記録装置などの映像・音響機器に使用されるスピーカに関し、特にその構造に関するものである。
【０００２】
【従来の技術】
スピーカを備える機器の音声信号増幅部と接続するスピーカターミナルは、接続の容易さからスピーカの前面に近い部分に、設けられることが多くなってきている。特に、車載用の音響機器とスピーカの接続などの場合に、その傾向が多い。
【０００３】
この従来のスピーカを図１１〜図１３により説明する。
【０００４】
図１１〜図１３に示すように、従来のスピーカは、主に
ａ．センターポールを有する下部プレート７Ｂと、環状のマグネット７Ｃと
、上部プレート７Ｄと、磁気ギャップ７Ａからなる磁気回路７と、
ｂ．磁気回路７の上部に結合されたプラスチック製のフレーム１と、
ｃ．上記磁気回路７の磁気ギャップ７Ａにはめ込まれた線輪とこれを巻回し
たボイスコイルボビンからなるボイスコイル３と、
ｄ．内周をこのボイスコイル３に結合し、外周を上記フレーム１に結合して
上記ボイスコイル３を支持するダンパ４と、
ｅ．エッジ部を介して上記フレーム１に外周を結合し、上記ボイスコイル３
に内周を結合した振動板５と、
ｆ．フレーム１に装着されたスピーカターミナル（以降単にＳＴと記す）２
と、
から構成される。さらに、従来のスピーカは、
上記フレーム１に装着された一対の内部中継用のターミナル９と、
一端がボイスコイルの線輪の端末に接続され、他端が上記中継ターミナル
９に接続されたフレキシブルワイヤー（以降単にＦＷと記す）６と、
上記中継端子９に一端が接続され、他端が上記端子板２Ｂに接続された中
継用コード１０と、
を備えている。
【０００５】
上記ＳＴ２は、
図示しない機器側の音声信号増幅部に接続されたコネクタが挿入される筐
体部２Ａと、
上記筐体部２Ａに圧入またはアウトサート成形された上記コネクタと接続
される端子板２Ｂと、
端子板２Ｂには、後述する中継コード１０が挿入されて半田付けされる端
子孔２Ｃと、
で構成している。
【０００６】
以上のように構成された従来のスピーカにおいて、ＳＴ２が振動板５の近くに配置された場合でも、ＦＷ６は、隣接部品（ダンパ、振動板）と衝突しない位置に、配置する必要がある。ＦＷ６が、隣接部品（ダンパ、振動板）と衝突すると、スピーカは異音を発生し、破損することがある。
【０００７】
【発明が解決しようとする課題】
しかしながら、従来のスピーカでは、スピーカの組立作業者は、上記の衝突を防止するため、ＦＷ６を最適な位置に配線していた。中継用のターミナル９の接続作業は、熟練を要し、手間がかかっていた。すなわち、接続作業のコストは、高い。また、接続点（半田付け部分）が多いため、上記の従来のスピーカは、接続不良や断線等を生じる可能性を有している。
【０００８】
【課題を解決するための手段】
本発明は、上記課題を解決するスピーカであって、
一端がフレームに設けられたＳＴの端子板に接続され、他端がボイスコイ
ルの巻線に接続されたＦＷと、
上記ボイスコイルと上記ＳＴ間に上記フレームに装着して設けられた、
ＦＷを保持する挟持部と、
上記挟持部のボイスコイル側に設けられた上記ＦＷを沿わせる壁部と、
を有する中継部と、
を備えている。
【０００９】
ＦＷは、上記挟持部に挟持されて固定される。また、上記壁部は、ＦＷの位置を規制している。この構成により、中継コードは、削減することができる。すなわち、部品点数は、少なくなる。さらに、本発明は、スピーカ駆動時のＦＷの振幅による他部品（ダンパ、振動板）との衝突による異音の発生を防止する、優れたスピーカを提供をするものである。
【００１０】
【発明の実施の形態】
（実施の形態１）
以下、本発明の実施の形態１のスピーカについて、図１から図５を用いて、説明する。なお、従来技術と同一部分には同一番号を付し、その説明を省略する。
【００１１】
図１から図５に示すように、本発明の実施の形態１のスピーカは、
ａ．センターポールを有する下部プレート７Ｂと、環状のマグネット７Ｃと
、上部プレート７Ｄと、磁気ギャップ７Ａからなる磁気回路７と、
ｂ．磁気回路７の上部に結合されたプラスチック製のフレーム１Ａと、
ｃ．上記磁気回路７の磁気ギャップ７Ａにはめ込まれたボイスコイル３と、
ｄ．内周をこのボイスコイル３に結合し、外周を上記フレーム１に結合して
上記ボイスコイル３を支持するダンパ４と、
ｅ．外周を上記フレーム１Ａに結合し、内周を上記ボイスコイル３に結合し
た振動板５と、
ｆ．フレーム１Ａに装着されたＳＴ２と、
ｇ．一端をＳＴ２の端子板２Ｂに接続するとともに、他端をボイスコイル３
の線輪に接続しているフレキシブルワイヤー（ＦＷ）６Ａと、
から構成される。
【００１２】
ボイスコイル３は、線輪とこれを巻回したボイスコイルボビンからなる。
【００１３】
プラスチック製のフレーム１Ａは、中継部８を装着している。上記中継部８は、フレーム１Ａと一体成型により形成しても良い。また、別体の中継部８を、フレーム１Ａに装着し、固定しても良い。
【００１４】
ＦＷ６Ａは、その一端を端子板２Ｂに接続し、他端をボイスコイル３の線輪に接続している。そして、その中間部分は、上記中継部８に挟持されている。
【００１５】
上記中継部８は、
ＦＷ６Ａを挟持する挟持部８Ａと、
傾斜した溝部８Ｅを有する壁部８Ｂと、
から構成される。
【００１６】
図３に示すように、絶縁被覆されていないＦＷ６Ａ相互の接触を防止するために、上記壁部８Ｂは、２つの溝部８Ｅを備えている。
【００１７】
なお、この溝部８Ｅに代えて、上記壁部８Ｂに、沿わされるＦＷ６Ａ間に、突部を設けても良い。
【００１８】
図４Ａは、図３に示す中継部８の、側面図である。図４Ｂは、図４Ａにしめす中継部８に、ＦＷ６Ａを、装着した状態を、示している。図４Ｂに示すように、ＦＷ６Ａの中間部は、挟持部８Ａに挟時される。さらに、ＦＷ６Ａは、傾斜した溝部８Ｅにそって、円弧状の曲線を形成するように配線されている。スピーカが駆動されると、振動板５やダンパ４は、振動する。その振動によって、ＦＷ６Ａは、振動することがある。その振動が生じた時でも、この円弧状の配線により、ＦＷ６Ａの、ダンパ４方向と振動板５の方向への振れは、抑えられる。ＦＷ６Ａとダンパ４や振動板５との衝突防止効果を高めるために、その配線される位置は、図２に示すように、振動板５とダンパ４のほぼ中間の位置が、適している。
【００１９】
また、挟持部８ＡにＦＷ６Ａを挿入する入口に、上部傾斜部８Ｃ１と下部傾斜部８Ｃ２が対向して設けている。また、例えば、傾斜部８Ｃ１の奥に、傾斜部８Ｃ２の取付けられた面の方向に突出する突起８Ｄが設けられている。
【００２０】
上記傾斜部８Ｃ１と傾斜部８Ｃ２によって、ＦＷ６Ａを挟持部８Ａに挿入する作業が容易になる。さらに、突起８Ｄは、容易にＦＷ６Ａが挟持部８Ａから抜けることを防止している。
【００２１】
なお、上記傾斜部８Ｃ１と傾斜部８Ｃ２は、いずれか一方でも良い（必ずしも、両方、必要ではない）。
【００２２】
また、平坦部８Ｆは、下部傾斜部８Ｃ２に延長して設けられた平坦部である。ＦＷ６Ａを挟持部８Ａに挿入固定する際に、両端が接続された上記ＦＷ６Ａは、一旦この平坦部８Ｆに置くことができる。したがって、ＦＷ６Ａを挟持部８Ａに挿入する作業は、容易に行える。このことにより、ピンセットのような工具を使用した挿入作業は、容易になる。
【００２３】
図５に示すように、中継部８の挟持部８Ａは、ほぼ、端子板２Ｂとボイスコイル３の円周と結ぶ接線上に、位置している。したがって、ＦＷ６Ａに、挟持部８Ａの挿入口から抜ける方向の力が、常時働くことがない。
【００２４】
（実施の形態２）
以下、本発明の実施の形態２における、他の実施の形態を図６により説明する。実施の形態１と同一の部分については説明を省略し、相違点について、以下に説明する。
【００２５】
実施の形態１との相違点は、貫通孔８Ｇが、中継部８のＦＷ６Ａの装着位置の下方に、設けられている点である。
【００２６】
この貫通孔８Ｇによって、ＦＷ６Ａの挟持状態が下方から確認できる。また、接着によってこの挟持部８ＡでＦＷ６Ａを固着する場合は、この貫通孔８Ｇから接着剤を塗布することができる。したがって、ＦＷ６Ａを固着する作業は、容易になる。また、この貫通孔８Ｇから、ＦＷ６Ａの接着状態の確認が容易に行える。
【００２７】
（実施の形態３）
以下、本発明の実施の形態３における、スピーカに使用するスピーカターミナルの実施の形態を図７により説明する。
【００２８】
従来技術で説明したＳＴは、中継コード１０という比較的硬く、長さの制約も緩やかなものを半田付けするためのものである。
【００２９】
本発明において、ＳＴとボイスコイル３を接続するものがＦＷ６Ａである。ＦＷ６Ａは、ボイスコイル３の駆動に追随する柔軟（可とう）性を有している。しかし、ＦＷ６Ａは、他部品との衝突を避ける必要がある。他部品との衝突を避けるために、ＦＷ６Ａは、所定の長さを維持する必要がある。本実施の形態のＳＴ１１は、ＦＷの所定の長さを確保するための構成である。
【００３０】
図７に示すように、本実施の形態のＳＴ１１は、
プラスチック製の一方に開口を有する筐体部１１Ｂと、
その筐体部１１Ｂの開口内に突出する一対の端子板１１Ａ１、１１Ａ２と、を備えている。
【００３１】
一対の端子板１１Ａ１、１１Ａ２は、筐体部１１Ｂにアウトサート成型や圧入等によって、取付けられる。
【００３２】
上記端子板１１Ａ１は、
ａ）端子板１１Ａ１の筐体部１１Ｂ内に突出した電気信号導入用の端子部１
１Ｃ１と、
ｂ）端子板１１Ａ１の筐体部１１Ｂの外方の他端側に設けられた錦糸線等の
ＦＷ６Ａが挟み込まれる切り欠きを有する切起部１１Ｄ１と、
ｃ）この切起部１１Ｄ１の筐体部１１Ｂに向かう直線上に上記切起部１１Ｄ
１に対向するように上記端子板１１Ａ１の一部を切断し折り曲げて形成
した起立壁１１Ｅ１と、
から構成される。
【００３３】
図７に示すように、上記端子板１１Ａ１と端子板１１Ａ２は、その中間面に対して対象形である。したがって、端子板１１Ａ２についての説明は、省略する。
【００３４】
端子部１１Ｃ１と１１Ｃ２は、図示しない外部信号を供給するコネクタが接続されるものである。
【００３５】
ＦＷ６Ａは、次のようにＳＴ１１と接続する。すなわち、
まず、上記起立壁１１Ｅ１にＦＷ６Ａの先端を当接し、
この状態で、ＦＷ６Ａを挟み込ように、上記切起部１１Ｄ１を若干変形して
、ＦＷ６Ａを仮固定し、
引き続き、この切起部１１Ｄ１とＦＷ６Ａを半田付けする。
【００３６】
以上のように、ＦＷ６Ａは先端を起立壁１１Ｅ１に当接した状態で仮固定した後、切起部１１Ｄ１と半田付けが行われる。したがって、ＳＴ１１に接続するためのＦＷ６Ａの先端長さのバラツキが少ない。また、ボイスコイル４とＳＴ１１間のＦＷ６Ａの所要長さも、安定する。
【００３７】
この構成により、スピーカの駆動中に、上記ＦＷ６Ａは、他部品との接触を防止できる。したがって、スピーカは、異音を発生しない。
【００３８】
また、端子板１１Ａ１の一部を切断し、折り曲げて起立壁１１Ｅ１を形成すると、切り込み１１Ｆ１が形成される。この切り込み１１Ｆ１により、端子板１１Ａ１に、幅の狭い部分ができる。したがって、切起部１１Ｄ１とＦＷ６Ａの半田付け時、切起部１１Ｄ１と筐体部１１Ｂまで、熱を伝える幅が狭い。また、起立壁１１Ｅ１は、放熱板の役割を果たす。
【００３９】
上記端子板１１Ａ２は、端子板１１Ａ１と対象形である。端子板１１Ａ２へのＦＷ６Ａの接続は、同様に行うことができるため、その説明は、省略する。
【００４０】
この構成は、筐体部１１Ｂへの半田付け時の熱の影響を抑制する。熱の影響が抑制されると、筐体部１１Ｂの開口内の変形は防止される。したがって、本実施の形態のスピーカターミナルは、コネクタの挿入を安定的に行える。
【００４１】
また、切り込み１１Ｆ１（１１Ｆ２）部分は、下面側からの半田付け状態を確認するための窓部として、機能することができる。
【００４２】
（実施の形態４）
以下、本発明のスピーカに使用するスピーカターミナルの他の実施の形態を図８と図９により説明する。
【００４３】
本実施の形態も実施の形態３と同様にＳＴにかかるものである。
【００４４】
図８に示すように、本実施の形態のＳＴ１２は、
プラスチック製の一方に開口を有する筐体部１２Ｂと、
この筐体部１２Ｂの開口内に突出する一対の端子板１２Ａ１、１２Ａ２と、を備えている。
【００４５】
一対の端子板１２Ａ１、１２Ａ２は、筐体部１２Ｂにアウトサート成型や圧入等によって、取付けられる。
【００４６】
上記端子板１２Ａ１は、
端子板１２Ａ１の先端部に設けられた切起部１２Ｄ１と、
並設された端子板１２Ａ２側に設けられた端子板１２Ａ１を折り曲げて形成
した壁部１２Ｇ１と、
上記筐体部１２Ｂと上記切起部１２Ｄ１間に形成された切り込み１２Ｆ１と、
を設けている。
【００４７】
切起部１２Ｄ１は、実施の形態の切起部１１Ｄ１と同様である。また、切り込み１２Ｆ１は、実施の形態３の切り込み１１Ｆ１と同様の効果を持つように設けている。
【００４８】
図８に示すように、上記端子板１２Ａ２は、端子板１２Ａ１と、その中間面に対して、対象形である。したがって、端子板１２Ａ２についての説明は、省略する。
【００４９】
ＦＷ６Ａは、次のようにＳＴ１２と接続する。すなわち、
まず、上記筐体部１２ＢにＦＷ６Ａの先端を当接し、
この状態で、ＦＷ６Ａを挟み込ように、上記切起部１２Ｄ１を若干変形して
、ＦＷ６Ａを仮固定し、
引き続き、この切起部１２Ｄ１とＦＷ６Ａを半田付けする。
【００５０】
以上のように、ＦＷ６Ａは先端を上記筐体部１２Ｂに当接した状態で仮固定した後、切起部１２Ｄ１と半田付けが行われる。したがって、ＳＴ１１に接続するためのＦＷ６Ａの先端長さのバラツキが少ない。また、ボイスコイル３とＳＴ１１間のＦＷ６Ａの所要長さも、安定する。
【００５１】
したがって、本実施の形態においては、ＳＴ１２へのＦＷ６Ａの接続時の所要長さを安定的に確保し、実施の形態３と同様の効果を有するものである。
【００５２】
また、壁部１２Ｇ１による放熱や切り込み１２Ｆ１により筐体部１２Ｂへの熱伝導を抑制し、熱による筐体部１２Ｂの変形やこれによるコネクタの挿抜の不具合を防止するとともに、更にＦＷ６Ａを切起部１２Ｄ１に仮固定し、半田付けした時、半田の熱によりＦＷ６Ａの先端が曲がって並設された他方の端子板１２Ａ２に接触することを上記壁部１２Ｇ１に当接させることで防止することができる。
【００５３】
なお、上記実施の形態３と４は、中継部を用いないＳＴをスピーカの前方に位置させる必要のないスピーカにおいても、図１０のごとく用いてＦＷ６Ａの長さの制約を安定して確保して他部品との接触による異音の発生を防止できる。
【００５４】
【発明の効果】
以上のように本発明のスピーカは、ＦＷを挟持部で挟持固定するとともに壁部でこのＦＷの位置を規制し、中継コードを削除して部品点数を削減することができる。また、組立作業も、容易になる。このことにより、スピーカ駆動時のＦＷの隣接する部品との衝突を防止し、衝突による異音の発生を防止したスピーカの提供を可能となる。
【００５５】
なお、さらに挟持部のＦＷの挿入口の対向する面の少なくとも一方に傾斜部を設け、また、突起を設けている。このことで、ＦＷの挿入・装着を容易にするとともに、ＦＷの抜け防止を図ることができる。
【００５６】
また、挟持部の挿入口の下面側を延長して平坦部を形成することで、平坦部は、ＦＷの挿入時のガイドとなり、ＦＷの挿入が、容易になる。
【００５７】
また、挟持部の壁部ＦＷを沿わせる方向に、一対の溝部または突部を設けることで、上記ＦＷの左右への倒れ込みを防止してＦＷの位置規制をより精度よく行うことができる。また、裸線であるＦＷ相互の接触を防止することができる。
【００５８】
また、挟持部の下方に貫通孔を設けることで、上記貫通孔によってＦＷの挟持状態が下側から容易に確認できる。
【００５９】
また、スピーカターミナルに、切起部と起立壁部とを備えた端子板を構成したものにあっては、ＦＷのＳＴとボイスコイル間の所要長さを安定して確保することができ、上記所要長さに起因するスピーカの品質のバラツキを抑制することができる。
【図面の簡単な説明】
【図１】  本発明のスピーカの斜視図
【図２】  本発明の一実施の形態であるスピーカの半断面図
【図３】  図２に示す中継部の斜視図
【図４】  （Ａ）図３に示す中継部の側面図
（Ｂ）図３に示す中継部の側面図にＦＷを装着した図
【図５】  図２に示すＦＷをスピーカに取り付けた状態を説明する上面図
【図６】  スピーカの中継部の他の実施の形態を示す斜視図
【図７】  スピーカのスピーカターミナルの他の実施の形態を示す斜視図
【図８】  スピーカのスピーカターミナルの、さらに他の実施の形態を示す斜視図
【図９】  図８におけるＳＴとＦＷの接続を説明するための斜視図
【図１０】  図８に示すスピーカターミナルを用いて、スピーカのボイスコイルとの間をＦＷで直接接続したスピーカの断面図
【図１１】  従来のスピーカの斜視図
【図１２】  図１１に示すスピーカの半断面図
【図１３】  図１１に示すＳＴの斜視図
【符号の説明】
１  フレーム
２  スピーカターミナル（ＳＴ）
３  ボイスコイル
４  ダンパ
５  振動板
６  フレキシブルワイヤー（ＦＷ）
７  磁気回路
８  中継部
９  中継用のターミナル
１０  中継用コード
１１  スピーカターミナル（ＳＴ）
１２  スピーカターミナル（ＳＴ）
【図１】
0004389426.tif 000002
【図２】
0004389426.tif 000003
【図３】
0004389426.tif 000004
【図４】
0004389426.tif 000005
【図５】
0004389426.tif 000006
【図６】
0004389426.tif 000007
【図７】
0004389426.tif 000008
【図８】
0004389426.tif 000009
【図９】
0004389426.tif 000010
【図１０】
0004389426.tif 000011
【図１１】
0004389426.tif 000012
【図１２】
0004389426.tif 000013
【図１３】
0004389426.tif 000014